(57)【要約】【課題】複数の回転刃を左右に配置するモーアデッキでは、刈草の放出方向に回転刃の回転方向を同調させる形態とすることが多い。又、草刈作業場の形態等によって刈草放出方向を変更することが多い。これら回転刃の回転方向切替えや、刈草放出方向の切替えを各別に行う形態では、誤操作も多く、操作煩雑である。【解決手段】回転方向を切替可能の複数の回転刃１，２を軸装するモーアデッキ３に、後側中央部の中排出口４と、左右両側部で開閉可能の左排出口５と右排出口６とを配置し、これら回転刃１，２の回転方向の切替えと、左、右排出口５，６との切替えを連動することを特徴とするモーアの刈草放出装置の構成。【選択図】        図１
2004248523.tif 000002
【特許請求の範囲】
【請求項１】
回転方向を切替可能の複数の回転刃（１），（２）を軸装するモーアデッキ（３）に、後側中央部の中排出口（４）と、左右両側部で開閉可能の左排出口（５）と右排出口（６）とを配置し、これら回転刃（１），（２）の回転方向の切替えと、左、右排出口（５），（６）との切替えを連動することを特徴とするモーアの刈草放出装置。
【発明の詳細な説明】
【０００１】
【発明の属する技術分野】
この発明は、モーアの刈草放出装置に関し、乗用トラクタやハンドトラクタ等に装着されるモーアに利用できる。
【０００２】
【従来の技術】
モーアデッキの回転刃の回転方向を切替える技術（例えば特許文献１参照）や、中排出口や左右排出口を開閉する技術（例えば、特許文献１，２参照）が知られている。
【特許文献１】実開昭６０−１３３７３９号公報（第７頁、第３図）
【特許文献２】実開昭６１−２８３３２号公報（第６〜７頁、第１図）
【０００３】
【発明が解決しようとする課題】
複数の回転刃を左右に配置するモーアデッキでは、刈草の放出方向に回転刃の回転方向を同調させる形態とすることが多い。又、草刈作業場の形態等によって刈草放出方向を変更することが多い。これら回転刃の回転方向切替えや、刈草放出方向の切替えを各別に行う形態では、誤操作も多く、操作煩雑である。
【０００４】
【課題を解決するための手段】
請求項１に記載の発明は、回転方向を切替可能の複数の回転刃１，２を軸装するモーアデッキ３に、後側中央部の中排出口４と、左右両側部で開閉可能の左排出口５と右排出口６とを配置し、これら回転刃１，２の回転方向の切替えと、左、右排出口５，６との切替えを連動することを特徴とするモーアの刈草放出装置の構成とする。モーアデッキ３の中排出口４から刈草を排出させるときは、左右の回転刃１，２を中央後側へ向かうように回転することによって、モーアデッキ３内の刈草が同方向へ回転集送されると共に、この中排出口４から後方へ放出される。又、左排出口５から排出させるときは、左右の回転刃１，２を左側回りに回転することによって、左排出口５が開かれて、刈草が左側へ集送されて左排出口５から放出される。更には、右排出口６から排出させるときは、回転刃１，２を右側回りに回転することによって、右排出口６が開かれて排出される。
【０００５】
【発明の効果】
請求項１に記載の発明は、モーアデッキ３の各回転刃１，２の回転方向、又は、左、右排出口５，６等の切替えによって、これと連動の左、右排出口５，６、又は、回転刃１，２の回転方向が切替えられて、回転刃１，２の回転方向による刈草集送方向側の排出口４，５，６が同期開口されて、刈草を放出させることができ、操作を簡単、迅速、的確にして、誤操作を少なくし、作業能率を向上できる。
【０００６】
【発明の実施の形態】
この発明の一実施例を図面に基づいて説明する。草刈機は、ハンドル７を有したハンド形態のトラクタ車体８の前側に、モーアデッキ３を装着したものである。車体８は機体の前進方向Ｆに対して左右一対のクローラ９を有し、上側にエンジン１０を搭載して、このエンジン１０によって伝動機構を介してクローラ９及びモーアデッキ３内の回転刃１，２を回転伝動する。車体８前部の連結ブラケット１１には上下一対の平行状の連結リンク１２が、上下回動自在に連結され、この連結リンク１２の前端にモーアデッキ３上部の伝動ケース１３部が連結され、これらブラケット１１上の連結リンク１２の連結部の出力軸１４と、伝動ケース１３部の入力軸１５との間に、ベルト１６を掛け渡して、エンジン１０側から回転刃１，２側へ伝動する構成としている。
【０００７】
モーアデッキ３は、内部に左右一対の回転刃１，２を軸１７，１８装する。この回転刃は、広幅刈刃形態では刈刃を左右三連、又は四連の如く多連形態に配設することもできる。各回転刃１，２は軸１７，１８に各々二段にブレードを配置する形態としている。モーアデッキ３の上側に伝動ケース１３が設けられて、この伝動ケース１３に横方向の入力軸１５が軸装され、この入力軸１５からクラッチギヤ１９，２０を有するベベルギヤ２１を介して各軸１７，１８が伝動回転される。入力軸１５の中央部に位置するシフタピン２３が、伝動ケース１３上の支持ピン２２回りに回動の切替レバー２４によって、左右へ移動されることにより、入力軸１５が左右へ移動されて、この入力軸１５の左右二箇所に形成のスプライン軸部２５，２５を、図１に示すように右側のクラッチギヤ２０と左側のクラッチギヤ１９のセレーション部に嵌合噛合させたり、図３に示すように左側のクラッチギヤ１９，１９のセレーション部に嵌合噛合させたり、又、図４に示すように右側のクラッチギヤ２０，２０のセレーション部に嵌合噛合させるように切替えることができ、各回転刃１，２の回転方向を切替えできる伝動構成である。
【０００８】
前記刈草の放出方向を切替える各排出口４，５，６の切替え形態は、中排出口４は常時開放する形態として、左右の排出口５，６を開閉できる構成としている。もちろんこの中排出口４にもシャッタを設けて開閉できる構成とすることもできる。左、右排出口５，６には、ワイヤ２６の連動操作で、閉スプリング２７、及び開スプリング２８を介して開閉回動されるシャッター２９，３０が設けられる。このシャッター２９，３０は、モーアデッキ３上のブラケット３１に設けた開閉軸３２によって回動自在に設けられる。ワイヤー２６を引くことによって、閉スプリング２７を介してかつ開スプリング２８に抗して、シャッター２９，３０を開閉軸３２の周りに閉回動Ａさせて、排出口５，６を閉じる（図５）。又、逆にワイヤー２６を緩めることによって、開スプリング２８によってシャッター２９，３０を外側上部へ開回動Ｂさせて、排出口５，６を開く（図６）ように構成している。
【０００９】
このような左、右シャッター２９，３０を開閉操作するためのワイヤー２６を、各刈草放出方向と対応する側への回転刃１，２の回転方向を得るように前記切替レバー２４に連結する。即ち、刈草を中排出口４から後方へ放出させるときは、切替レバー２４を中央部Ｎに操作する（図１）ことによって、左回転刃１が右回りＣで、右回転刃２が左回りＤの方向へ向けて中央後部へ向かうように回転される。この切替レバー２４のシフタピン２３によって入力軸１５が左右中央部に位置されて、左スプライン軸部２５が内側のクラッチギヤ２０部に噛合し、右スプライン軸部２５も内側のクラッチギヤ１９部に噛合して、この入力軸１５の回転による左、右回転刃１，２は中央後部へ向けた相反対方向Ｃ，Ｄへ回転伝動される。しかも、この切替レバー２４は左、右両側のワイヤー２６を引っ張る状態にあって、左、右シャッター２９，３０を共に閉鎖して、左、右排出口５，６を閉じる。
又、左排出口５から外側へ放出させるときは、切替レバー２４を左側Ｌへ操作する（図３）ことによって、左、右の回転刃１，２が同じ左回りＤに回転伝動されると共に、左排出口５のシャッター２９が開かれる。この切替レバー２４のシフタピン２３によって入力軸１５が左側へ移動されると、左右のスプライン軸２５共に左側のクラッチギヤ１９に噛合して、左、右回転刃１，２が同じ左回りＤに回転伝動される。しかも、これによって右側のワイヤー２６は開スプリング２８に抗して引っ張られて右シャッター３０を閉鎖したままであるが、左側のワイヤー２６を緩めて、左シャッター２９を開回動させて、左排出口５を開く。
【００１０】
又、右排出口６から放出させるときは、切替レバー２４を右側Ｒへ操作する（図４）ことによって、該左側放出の場合と略同様にして回転刃１，２伝動の切替えや、シャッター２９，３０の切替えが行われる。ここに、スプライン軸部２５は、左右共に右側のクラッチギヤ２０部に噛合されて、左右回転刃１，２を同じ右回りＣへ回転伝動する。又、左側のワイヤー２６は引っ張った状態で、左シャッター２９を閉じて、右側のワイヤー２６の緩みで右シャッター３０を開いて、右排出口６を開放することができる。
このようなモーアデッキ３の中排出口４の後部は左右のクローラ９間の間隔部３３にのぞまされて、放出された刈草をこの間隔部３３を通して後方へ排出案内させる。又、この車体８底部の間隔部３３には門形状断面の案内板３４が設けられる。又、左、右排出口５，６から刈草を放出させるときは、左、右クローラ９の外側に沿って排出される。３５はゲージホイルで、モーアデッキ３を対地支持するものである。
前記入力軸１５を伝動ケース１３に対して左右に移動可能の構成としているため、前記定位置の各クラッチギヤ１９，２０や、ベルト１６の掛け渡される入力プーリ３６等に対して摺動自在で、クラッチギヤ１９，２０の入り位置では一体回転するように構成される。
又、前記中排出口４に中シャッターを設ける場合は、切替レバー２４を中央部Ｎに操作することによって、この中シャッターを開き、左側Ｌ、又は右側Ｒに操作することによって閉じるように連動構成することができる。
又、これら回転刃１，２の回転方向の切替えと、刈草放出方向の切替えとの連動構成は、前記のような切替レバー２４やワイヤー２６等の他に、リンク機構等の機械的連動機構や、更には電磁機構等によって連動構成することもできる。又、この連動操作を操縦ハンドル７近くに設置の遠隔操作具によって切替操作できるように構成して、操作性を高めることもできる。
【図面の簡単な説明】
【図１】モーアデッキ部の平面図。
【図２】モーアデッキ部の正面図。
【図３】その作用状態を示す平面図。
【図４】その作用状態を示す平面図。
【図５】そのシャッター部の作動状態を示す正面図。
【図６】そのシャッター部の作動状態を示す正面図。
【図７】草刈機全体の側面図。
【図８】その一部の平面図。
【符号の説明】
１    回転刃
２    回転刃
３    モーアデッキ
４    中排出口
５    左排出口
６    右排出口
【図１】
2004248523.tif 000003
【図２】
2004248523.tif 000004
【図３】
2004248523.tif 000005
【図４】
2004248523.tif 000006
【図５】
2004248523.tif 000007
【図６】
2004248523.tif 000008
【図７】
2004248523.tif 000009
【図８】
2004248523.tif 000010